(57)【要約】【課題】監視カメラの状況に応じた保守、点検、修理を実施する形態の業務を能率的に実現するため、監視カメラの各形態の異常画像を検出するための装置を提供する。【解決手段】監視カメラからの画像を取り込む画像取込み手段と、前記画像取込み手段において取り込んだ画像に対して当該画像の複数の画像統計値を算出する画像統計値算出手段と、正常時の画像における画像統計値を記録する正常時画像統計値記録手段と、当該正常時の画像における画像統計値を基準として、画像異常発生値閾値を設定する手段と、前記画像取込み手段において取り込んだ画像の各画像統計値と前記画像異常発生値閾値とを比較し、前記画像取込み手段において取り込んだ画像の各画像統計値のうち少なくとも２種の画像統計値が画像異常発生値閾値を逸脱したとき、異常として検知する異常検知手段とを備えた監視カメラの画像異常検出装置とした。【選択図】図１
2006352644.tif 000002
【特許請求の範囲】
【請求項１】
監視カメラからの画像を取り込む画像取込み手段と、
前記画像取込み手段において取り込んだ画像に対して当該画像の複数の画像統計値を算出する画像統計値算出手段と、
正常時の画像における画像統計値を記録する正常時画像統計値記録手段と、
当該正常時の画像における画像統計値を基準として、画像異常発生値閾値を設定する手段と、
前記画像取込み手段において取り込んだ現画像の各画像統計値と前記画像異常発生値閾値とを比較し、前記画像取込み手段において取り込んだ現画像の各画像統計値のうち少なくとも２種の画像統計値が前記画像異常発生値閾値を逸脱したとき、異常として検知する異常検知手段とを備えたことを特徴とする監視カメラの画像異常検出装置。
【請求項２】
請求項１記載の監視カメラの画像異常検出装置において、
画像取込み手段において取り込んだ現画像の各画像統計値のうち少なくとも２種の画像統計値が前記画像異常発生値閾値を逸脱したとき、当該逸脱した画像統計値から異常発生の原因を推定する画像異常推定手段を備えたことを特徴とする監視カメラの画像異常検出装置。
【請求項３】
請求項１または２記載の監視カメラの画像異常検出装置において、
前記現画像の各画像統計値に優先度を設定する優先度設定手段を備えたことを特徴とする監視カメラの画像異常検出装置。
【請求項４】
請求項３記載の監視カメラの画像異常検出装置において、
前記優先度設定手段の優先度を、遠隔の遠隔優先度設定手段によって設定されることを特徴とする監視カメラの画像異常検出装置。
【請求項５】
請求項１ないし４のいずれか１項記載の監視カメラの画像異常検出装置において、
監視カメラの画像を表示する画像表示装置と、
前記監視カメラの画像を記録する画像記録装置と、
前記監視カメラの画像を伝送する画像伝送装置を備えたことを特徴とする監視カメラの画像異常検出装置。
【発明の詳細な説明】
【技術分野】
【０００１】
本発明は、監視カメラの画像を使用し、防犯や監視用途等に使用される監視装置としてのカメラ監視装置の画像異常検出装置に関する。
【背景技術】
【０００２】
従来、建物の出入り口や各種施設、設備等の防犯や警備を行う業務においては、監視が必要な領域を撮影する監視カメラを設置し、当該監視カメラの画像を表示・記録して監視を行う監視装置や画像記録装置が広く用いられている。
【０００３】
ここで、当該監視カメラや監視カメラからの信号伝送路に故障が発生し、映像信号が途絶した場合、監視装置の映像信号に含まれる同期信号（水平同期信号、垂直同期信号）が監視装置において検出されなくなった事象（同期信号ロスト）を判断し、異常発生の警告や警報を発生する機能は、多くの監視装置や画像記録装置において使用されている（特許文献１参照）。
【０００４】
また、前記同期信号が正常に検出されている状況で、画像の状態に、監視業務に支障をきたす異常が発生した場合に、これを検出し、警告や警報を発生する手法も提案されており、この種の装置及び方法としては、画像を微分した値に基づいて異常を判別する画像センサ（特許文献２参照）が提案されている。
【特許文献１】特開２００１−１５７１９５号公報
【特許文献２】特開２０００−１９４９６９号公報
【発明の開示】
【発明が解決しようとする課題】
【０００５】
画像の状態に、監視業務に支障をきたす異常が発生した状況を検出し、状況に応じた保守、点検、修理を実施する形態の業務を考慮した場合、画像異常の発生状況には種々の原因や形態があるため、前記従来の技術では、検出が困難、または誤った事象として検出する状況が発生し得る。
【０００６】
前記画像を微分した値に基づいて異常を判別する画像センサ（特許文献２参照）を例に取ると、画像の微分値の低下により、画像の異常（カメラをカバー等で覆う画策行為等）を検出しているが、画像の微分値の低下は、この事象以外にも、画像へのぼけ発生やレンズの汚れ・曇り、照明レベルの低下等の種々の画像異常原因によっても発生し得る。
【０００７】
また、これらの種々の画像異常原因に対しては、復旧するための確認内容が異なる（例えば、前記画策の場合はカメラ近辺の点検、ぼけ発生やレンズの汚れ・曇りはレンズ関係の点検や調整、照明レベルの低下は照明や環境の確認等）ため、例えば、監視カメラを遠隔地に多数設置し、画像を集中監視するような業務形態においては、当該画像異常原因が発生したカメラを保守・点検・修理するための指示を保守員や現地担当者などに的確に行うことが困難である。
【０００８】
また、前記監視業務の監視内容によっては、画像の鮮明度を要求する用途（例えば、人の顔や文字等を画面上で確認、認識する場合等）や、画像の彩度を要求する用途（例えば、衣服や物体の色や模様などの特徴の確認や記録が必要な場合等）があり、この場合、監視カメラの異常検出の優先度（鮮明度優先、彩度優先等）が異なる状況が考えられるが、このような要求を１つの装置や手段で実現するものは存在していない。
【０００９】
本発明の目的は、上記従来の問題点を改善し、監視カメラの画像異常を検出し、監視カメラの状況に応じた保守、点検、修理を実施する形態の業務を能率的に実現する方法として、監視カメラの各形態の異常画像を検出するための装置を提供することにある。
【課題を解決するための手段】
【００１０】
上記目的を達成するために、本発明による第１の手段としては、監視カメラからの画像を取り込む画像取込み手段と、前記画像取込み手段において取り込んだ画像に対して当該画像の複数の画像統計値を算出する画像統計値算出手段と、正常時の画像における画像統計値を記録する正常時画像統計値記録手段と、当該正常時の画像における画像統計値を基準として、画像異常発生値閾値を設定する手段と、前記画像取込み手段において取り込んだ現画像の各画像統計値と前記画像異常発生値閾値とを比較し、前記画像取込み手段において取り込んだ現画像の各画像統計値のうち少なくとも２種の画像統計値が前記画像異常発生値閾値を逸脱したとき、異常として検知する異常検知手段とを備えたことを特徴とする監視カメラの画像異常検出装置としたものである。
【００１１】
本発明による第２の手段としては、前記第１の手段記載の監視カメラの画像異常検出装置において、画像取込み手段において取り込んだ現画像の各画像統計値のうち少なくとも２種の画像統計値が前記画像異常発生値閾値を逸脱したとき、当該逸脱した画像統計値から異常発生の原因を推定する画像異常推定手段を備えたことを特徴とする監視カメラの画像異常検出装置とするものである。
【００１２】
本発明による第３の手段としては、前記第１の手段または第２の手段記載の監視カメラの画像異常検出装置において、前記現画像の各画像統計値に優先度を設定する優先度設定手段を備えたことを特徴とする監視カメラの画像異常検出装置としたものである。
【００１３】
本発明による第４の手段としては、前記第３の手段記載の監視カメラの画像異常検出装置において、前記優先度設定手段の優先度を、遠隔の遠隔優先度設定手段によって設定されることを特徴とする監視カメラの画像異常検出装置としたものである。
【００１４】
本発明による第５の手段としては、前記第１の手段ないし第４の手４のいずれか１手段記載の監視カメラの画像異常検出装置において、監視カメラの画像を表示する画像表示装置と、前記監視カメラの画像を記録する画像記録装置と、前記監視カメラの画像を伝送する画像伝送装置を備えたことを特徴とする監視カメラの画像異常検出装置としたものである。
【発明の効果】
【００１５】
本発明によれば、上記構成とすることにより、前記監視カメラ及び信号伝送路において発生した画像異常について、各種画像異常（例えば、画像にノイズが混入、ぼけ発生、コントラスト低下発生、異常画素値（真白、真黒等）、画面隠蔽、画角変動等）を検出することが可能となるため、従来と比較して故障検知の性能が向上し、ひいては当該監視装置の品質や稼働率の向上を図ることが可能となる。
【発明を実施するための最良の形態】
【００１６】
本発明においては、監視カメラから取り込んだ現画像に対して、当該現画像の複数の画像統計値を利用し、この現各画像統計値と正常時の画像における各画像統計値と対比したとき、現各画像統計値と正常時の各画像統計値との差異によって、故障原因を凡そ推定できることに着目し、正常時の画像における各画像統計値を基準として、画像異常発生値閾値を設定し、この画像異常発生値閾値を、監視カメラから取り込んだ現画像の各画像統計値が超えるか未達のような逸脱する場合を異常画像とみなして異常検知信号を出力するようにしたものである。
【００１７】
画像統計値は、後述するように、画像信号の微分値等から適当に算出することが可能であるが、この画像統計値は、次のような観点から複数種のものが採用され、各画像統計値の間の相関がなるべく小さいものを選択することが好ましく、この種類が多い程より精度良く、異常原因を把握可能となるのでより好ましい。
【００１８】
（１）画素平均値：取り込んだ画像を白黒画像に変換した画像全体に対する画素平均値（画像全体の画素値の総和を画素数で除算した値）であり、画像の平均的な明るさを示す値である。
【００１９】
（２）画素分散値：取り込んだ画像を白黒画像に変換した画像全体に対して、画像全体の（画素値−前記画素平均値）を二乗した値の総和を画素数で除算した値であり、画像の明度分布を表す値である。
【００２０】
（３）画像微分値：取り込んだ画像を白黒画像に変換した画像全体に対して、（現在の画素値−隣接画素）の総和の値であり、画像の複雑さや鮮明度を表す値である。
【００２１】
（４）高輝度画素数：取り込んだ画像を白黒画像に変換した画像全体に対して、画素値が予め定めた画素値の閾値（高輝度閾値）を越えた画素の数であり、画像上の明るい部位や画素の数、面積を表す値である。
【００２２】
（５）低輝度画素数：取り込んだ画像を白黒画像に変換した画像全体に対して、画素値が予め定めた画素値の閾値（低輝度閾値）以下である画素の数であり、画像上の暗い部位や画素の数、面積を表す値である。
【００２３】
（６）画像間相関：後述する初期設定手順において、正常として取り込んだ画像と、現在の画像との相関（類似度）を表す値であり、初期設定手順において、正常として取り込んだ画像と現在の画像が一致する場合に最も高い値を取る。
【００２４】
（７）彩度：取り込んだ画像を色相・彩度・明度画像に変換（ＨＳＶ変換）し、そのうちの彩度の画像内での平均値であり、画像内の色彩の存在や画像全体の色の分布状態を表す値である。
【００２５】
この現各画像統計値と正常時の各画像統計値とを比較するに当り、当該正常時の画像における画像統計値を基準として画像異常が発生したと認められる画像異常発生値閾値を各画像統計値毎に設定し、これらの画像異常発生値閾値と現画像統計値を比較して、この閾値を超えるか、下回るかして逸脱した場合を異常画像発生とみなして異常検知し、種々の対応を取るようにしている。
【００２６】
この対応を取るに当り、現各画像統計値からの異常検知の結果から、これまでの経験から認識された異常発生の原因を推定する画像異常推定手段を備えることによって、画像異常発生状況に基づいた故障発生原因（故障発生状況、故障発生部位、故障対応方法）を推定して提示可能となるため、故障状況に応じた点検部位や点検方法の指示、機材の準備等を迅速に行うことが可能となり、保守・修理効率の向上や不稼動時間の短縮を図ることが可能となる。
【００２７】
さらに、現各画像統計値に優先度を設定する優先度設定手段を備えることによって、これらの優先度を加味した比較が可能となり、指定した異常状態（鮮明度低下、彩度低下等）を優先して（または非優先として）検出する設定を行うことが可能であるため、監視カメラの設置環境や用途、顧客要望に応じた画像異常検出を行うことが可能となる。
【００２８】
さらにまた、前記優先度設定手段の優先度を遠隔の遠隔優先度設定手段によって設定されるようにすることによって、前記監視カメラ及び監視装置を遠隔地に多数設定した場合の設定に必用な作業量や作業時間を低減することが可能となり、ひいては運用コストの低減が可能となる。
【００２９】
さらにまた、本発明による監視カメラの画像異常検出装置において、監視カメラの画像を表示する画像表示装置と前記監視カメラの画像を記録する画像記録装置と前記監視カメラの画像を伝送する画像伝送装置を備えることによって、別途故障検知装置を増設することなく故障検知が可能となり、ひいては機器構成の簡略化が可能となる。
【００３０】
（実施形態１）
以下、本発明に係わる監視カメラの画像異常検出装置の一実施形態を、図１〜図６に、基づいて説明する。
【００３１】
図１は、本発明の一実施形態に係わる監視カメラの画像異常検出装置の機能構成を示すブロック図である。
【００３２】
図１において、１は監視対象の区域に設置され、監視画像を取得して映像信号として出力する機能を持つ監視カメラ、２は画像異常検出装置でソフトウエアによる構成やハードウエアによる構成によって実現することができる。前記監視カメラ１と画像異常検出装置は同軸ケーブル等の信号伝送路（図示せず）により接続されている。
【００３３】
前記画像異常検出装置２は、前記映像信号より画像を取り込む機能を持つ画像取込み手段２１、画像取込み手段２１において取り込んだ画像より少なくとも２種類の異常画面の画像統計値ａ〜ｎを算出する画像統計値算出手段２２ａ〜２２ｎ、画像が正常であった場合の各画像統計値を記録する正常時画像統計値記録手段２３ａ〜２３ｎ、画像異常を検出するための画像統計値の優先度を設定する機能を持つ画像異常検出優先度記録手段２４ａ〜２４ｎ、前記正常時画像統計値と画像異常検出優先度記録手段２４ａ〜２４ｎにより優先度を設定された現在の画像の画像統計値とによって現在の画像の画像異常発生を検出する異常検出手段２５により構成されている。
【００３４】
画像異常を検出するために使用する画像統計値ａ〜ｎは、複数の画像統計値が使用されるが、この実施形態では、前述の（１）画素平均値、（２）画素分散値、（３）画像微分値、（４）高輝度画素数、（５）低輝度画素数、（６）画像間相関、（７）彩度の７種類の画像統計値を採用している。
【００３５】
前記異常検出手段２５は、正常時画像統計値と画像異常検出優先度記録手段２４ａ〜２４ｎにより優先度を設定された現在の画像の画像統計値とによって現在の画像の画像異常発生の程度を表す画像異常発生値Ｆを算出する機能を持つ画像異常発生値算出手段２５ａと、前記現在の画像の画像統計値から現在の画像の異常発生状況及び発生原因、対応部分等を推定する画像異常原因推定手段２５ｂより構成される。
【００３６】
前記画像異常検出装置２は、画像異常原因推定手段２５ｂで推定された現在の画像の異常発生状況及び発生原因、対応部分等を出力する機能を有し、これらの情報は、表示装置３において表示される。
【００３７】
なお、表示装置３においては、表示のみではなく、画像異常が発生した場合に、音響・警告機能、他のシステムに警報を伝える移報機能等を備えてもよい。
【００３８】
次に、前記構成の前記画像異常検出装置２における画像異常検出方法の手順について説明する。
【００３９】
画像異常検出方法の手順としては、初期設定と異常検出の２段階において行われ、まず、初期設定の手順を図２に示すフローチャートを使用して説明する。
【００４０】
初期設定の目的は、正常時の画面の各画像統計値を算出し、正常時画像統計値記録手段２３ａ〜２３ｎに記録することと、画像異常の判別を行う画像異常発生値閾値Ｆ０を画像異常発生値算出手段２５ａに設定することである。
【００４１】
まず、図２の手順Ｓ１において、監視カメラ１における正常時の画像（例えば、監視目的の区域が正常に写っており、かつ定常状態の画像等）を画像異常検出装置２に入力する。ここで、画像異常検出装置２において、初期設定を行うための操作（初期設定ＳＷの投入等）を実施すると、画像異常検出装置２は、前記正常時の画像に対して画像統計値ａ〜ｎを算出し（手順Ｓ２）、これらの画像統計値を、正常時画像統計値記録手段２３ａ〜２３ｎに記録する（手順Ｓ３）。
【００４２】
その後、画像異常発生値閾値Ｆ０は、画像異常の発生を判別するための判定を行う値であり、監視目的の区域への人物や物体の進入や移動、日照や照明などによる画面の輝度変化等に対しては、画像異常と判定しないような値とする必要がある。
【００４３】
このような目的を満たす方法としては、次の手順により画像異常発生値閾値Ｆ０を算出することで設定が可能となる。
【００４４】
（１）上記手順Ｓ３を実行後、予め定められた期間（例えば、２４時間）内に、次の手順（２）〜（４）の動作を行う。
【００４５】
（２）取り込んだ画像の各画像統計値Ｆを算出する。
【００４６】
（３）画像異常発生値算出手段２５ａにおいて、画像異常発生値を算出する。（画像異常発生値算出手段２５ａにおける画像異常発生値Ｆの算出手順は後述する。）
（４）前記予め定めた期間中における画像異常発生値Ｆの最大値をＦｍａｘとする。
【００４７】
（５）前記の期間経過後、Ｆｍａｘに余裕度（例えば、１．１〜１．５）を乗じて画像異常発生値閾値Ｆ０とする。
【００４８】
図３には、上記（１）〜（５）の関係を図示したもので、画像異常発生値閾値Ｆ０と前記Ｆｍａｘとの関係を示しており、画像異常発生値閾値Ｆ０は、Ｆｍａｘに余裕度（例えば、１．１〜１．５）を乗じて設定されている。
【００４９】
上記手順により、画像異常でない通常の画像変動による画像統計値の変動に対しては、画像異常発生とは判別しない画像異常発生値閾値Ｆ０を設定可能となる。
【００５０】
次に、手順Ｓ５において、画像異常発生値Ｆが画像異常発生値閾値Ｆ０を越えた状態が継続した場合に、画像異常発生と判別するために使用する画像異常発生時限Ｔ０を設定する。この時限Ｔ０は、監視を行うシステムの重要性や、顧客の要求によって異なるが、例として５〜３０分等の時限を設定する。
【００５１】
次に、前述の初期設定が完了した後に、実際に画像異常発生を検出するための手順を図４のフローチャートを使用して説明する。
【００５２】
異常検知の手順としては、まず、初期設定の場合と同様に、監視カメラ１における現在の画像を入力し（手順Ｓ６）、当該画像の画像統計値ａ〜ｎを算出する（手順Ｓ７）。次に、当該画像の画像統計値ａ〜ｎより、画像異常発生値Ｆを算出する（手順Ｓ８）。ここで、前記画像異常発生値Ｆの算出方法について説明する。
【００５３】
画像異常発生値Ｆの算出の考え方は、以下の事実に基づくものである。
【００５４】
（１）画像が正常であれば、当該画像の画像統計値と、正常時画像統計値記録手段２３ａ〜２３ｎに記録されている画像統計値との差は小さい。
【００５５】
（２）画像に一時的に人物や物体が映った場合、当該画像の画像統計値と、正常時画像統計値記録手段２３ａ〜２３ｎに記録されている画像統計値との間に差が生じるが、人物や物体が画像に映らなくなった時点で、当該画像の画像統計値と正常時画像統計値記録手段２３ａ〜２３ｎに記録されている画像統計値との差は小さい状況に戻る。
【００５６】
（３）監視カメラの故障やレンズの故障、カメラへの画策等による撮像妨害等が発生した場合、当該画像の画像統計値と、正常時画像統計値記録手段２３ａ〜２３ｎに記録されている画像統計値との間に差が生じ、その状態が継続する。
【００５７】
よって、画像異常発生値Ｆとしては、当該画像の画像統計値と正常時画像統計値記録手段２３ａ〜２３ｎに記録されている画像統計値との差を総合的に表すものが適切である。
【００５８】
そこで、本実施形態においては、当該画像統計値と、正常時画像統計値記録手段２３ａ〜２３ｎに記録されている各画像統計値との間の差を総合的に表す値として、当該画像の画像統計値と、正常時画像統計値記録手段２３ａ〜２３ｎに記録されている画像統計値との間の「距離」を使用することとし、次式１．１の数式を使用して求める。
【００５９】
Ｆ＝（Ｓａ−Ｎａ）２＋（Ｓｂ−Ｎｂ）２＋・・・・・＋（Ｓｎ−Ｎｎ）２  （１．１）
上式中、Ｓａ、Ｓｂ、・・・・Ｓｎは、正常時画像統計値記録手段２３ａ〜２３ｎに記録されている各画像統計値、Ｎａ、Ｎｂ、・・・・Ｎｎは、現在の画像の各画像統計値を表す。
【００６０】
なお、式１．１は、画像異常検出優先度記録手段２４ａ〜２４ｎに優先度が設定されていない場合であるが、顧客の要望や監視カメラの使用目的によっては、特定の事象を示す画像統計値の優先検出が必要となる場合がある。例えば、高精細な画像を取り扱う場合、画像の精細度を示す画像統計値は、画像微分値であるため、画像の精細度の低下を優先的に検知するためには、この画像微分値を優先的に扱うように、画像異常検出優先度記録手段２４ａ〜２４ｎに優先度Ｐａ〜Ｐｎ（例えば、０．５（優先しない）〜１．０（標準）〜２．０（優先））を設定し、画像異常発生値Ｆは、次式１．２で算出する。
【００６１】
Ｆ＝（Ｓａ−Ｎａ×Ｐａ）２＋（Ｓｂ−Ｎｂ×Ｐｂ）２＋・・＋（Ｓｎ−Ｎｎ×Ｐｎ）２
（１．２）
次に、手順Ｓ９において、手順Ｓ８において算出した画像異常発生値Ｆと、初期設定手順において算出した画像異常発生値閾値Ｆ０とを比較し、画像異常発生値Ｆが画像異常発生値閾値Ｆ０を超えた場合は、画像異常発生値算出手段２５ａに設けた画像異常発生継続時間Ｔを計測するカウンタにより継続時間Ｔの計測を開始する。例えば、画像異常が発生し、画像異常発生値Ｆが画像異常発生値閾値Ｆ０を超える状況が継続する場合（図５参照）は、画像異常発生継続時間Ｔのカウンタのカウント数は増加していくことになる。
【００６２】
次に、手順Ｓ１０において、画像異常発生継続時間Ｔと前述の初期設定時に設定された画像異常発生時限Ｔ０とを比較する。ここで、画像異常発生継続時間Ｔが画像異常発生時限Ｔ０を超えていた場合は、画像異常が発生したとして、手順Ｓ１１を実施する。
【００６３】
手順Ｓ１１においては、前記画像異常発生の状況や故障個所、対応作業等を決定する。決定の方法としては、現在の画像統計値ａ〜ｎと図６に示す画像異常の原因を決定するために使用するテーブルとを比較し、画像統計値ａ〜ｎの変化傾向（初期値と比較して現在の統計値が変化（増加・減少・変動）または変化がない・小さい）と前記テーブルに示した変化傾向とを比較し、最も傾向が一致する項目を選択し、画像異常発生の状況や故障個所、対応作業を決定する。
【００６４】
例えば、照明の切断や、カメラレンズへの画策（カメラレンズを布で覆う、蓋をする）等により、画面がまっ暗になった場合の変化傾向は、前述の（１）画素平均値、（２）画素分散値、（３）画素微分値、（４）高輝度画素数、（６）画素間相関、（７）彩度は低下し、（５）低輝度画素数は増加する。この場合、図６のテーブルから上記事象は、Ｎｏ．１の項目が最も各画素統計値の傾向と一致するため、このテーブルの情報を使用して、故障事象の検出と故障個所及び対応作業の提示が可能となる。
【００６５】
これまで示したように、本発明による前記一実施形態の監視カメラの画像異常検出装置によれば、監視カメラの画像に監視に支障を来す画像異常が継続して発生した場合、故障発生の事象を漏れなく検知することができるため、従来の技術と比較して、より高性能な故障検出能力を提供することが可能となる。
【００６６】
また、画像異常が発生した場合、画像異常の状況と、その画像異常の原因となる故障個所及び対応作業を提示できるため、故障・修理作業の実施が容易となり、ひいては当該監視カメラシステムの稼働率及び画像の品質の向上を図ることが可能となる。
【００６７】
さらにまた、本発明による前記一実施形態の監視カメラの画像異常検出装置において、画像異常検出優先度記録手段２４ａ〜２４ｎを使用して、画像異常検出の優先度を設定することにより、顧客が望む種別の画像異常の検出を優先して実施することができるため、種々の用途の監視カメラに対して、最適な画像異常検出手段を提供することが可能となる。
【００６８】
（実施形態２）
次に、本発明による他の実施形態について、図７に基づいて説明する。
【００６９】
図７においては、前述の実施形態１の例の構成に加えて（実施形態１の構成と同一構成については、同一符号を付している。）、前記画像異常検出優先度記録手段２４ａ〜２４ｎに対して、画像異常検出優先度通信手段２６及び通信回線４を介して、外部（遠隔地）から、画像異常検出優先度の設定を可能とする画像異常検出優先度設定端末５を追加している。
【００７０】
本実施形態の発明の背景としては、全国の監視拠点に多数の監視カメラを設置し、前記多数の監視カメラの画像を画像監視センターに集約し、画像の監視を行う業務形態が近年増加してきている状況がある。このような業務形態においては、多数の画像の監視を行うと同時に、監視カメラや信号伝送路等の故障による画像異常の発生を検出する方法としては、前述の実施形態１が好適であるが、運用上の別の問題として、画像異常検出装置において初期設定を実施後、初期設定期間には検出することができなかった画像の変動が発生して画像異常発生を誤検出し、再度、画像異常優先度の設定が必要となった場合に、当該監視カメラ及び異常検出装置が設定されている場所に赴き、再度初期設定や画像異常検出優先度の設定を行う必要があった。この作業は、監視拠点が増加し、画像監視センターから遠隔地に監視カメラが設置されている場合、大幅な作業所要時間及び作業コストの増加を招く。
【００７１】
図７に示す本発明による実施形態２は、前述の大規模・広域映像監視業務において好適な画像異常検出方法を提供するものであり、前記実施形態１に対して、前記の画像異常検出優先度記録手段２４ａ〜２４ｎを遠隔より設定する機能及び画像異常検出優先度記録手段２４ａ〜２４ｎの設定による画像異常検出結果を確認する機能を持つ画像異常検出優先度設定端末５を設けたものである。
【００７２】
この実施形態により、遠隔地に設置した監視カメラにおける画像異常検出優先度記録手段２４ａ〜２４ｎの優先度の設定を、画像監視センターから設定可能となるため、画像異常発生の誤検出に対する画像異常検出優先度の設定作業や設定に伴う確認作業の作業所要時間や作業コストを低減することが可能となる。
【００７３】
（実施形態３）
前述の実施形態１及び２では、画像異常を検出する機能を、画像異常検出方法３を実施する機能のみを備えた監視カメラの画像異常検出装置について説明したが、この実施形態では、前記画像異常を検出する機能に加えて監視カメラの画像を表示する画像表示装置や監視カメラの画像を記録する画像記録装置、監視カメラの画像を遠方に伝送する画像伝送装置を備えていることを特徴としている。
【００７４】
この実施形態では、前記実施形態１及び２で使用されている画像取込み手段２１を前記画像表示装置、画像記録装置及び画像伝送装置として共用し、これらの装置の機能を達成するために、所要のハードウエアやソフトウエアを備えている。
【００７５】
このような構成とすることによって、画像表示装置、画像記録装置及び画像伝送装置とは別個に画像異常検出装置を増設することなく故障の検知が可能となり、ひいては機器構成の簡略化が可能となる。このような利点は、大規模な監視センターを構成するためには必須の条件である。
【００７６】
なお、前記本発明による実施形態においては、異常検出装置に対して、１台の監視カメラが接続されている構成で説明を行ったが、画像異常検出装置に複数の監視カメラからの画像信号を切り換えて入力するマルチプレクサ及び監視カメラの台数分に対応する正常時画像統計値記録手段２４ａ〜２４ｎを設けることにより、複数台の監視カメラの画像異常を検出する構成としてもよい。この場合、各監視カメラの画像を順に監視する構成となる。
【図面の簡単な説明】
【００７７】
【図１】本発明の一実施形態に係わる監視カメラの画像異常検出装置の概略構成を示すブロック図である。
【図２】本発明による一実施形態の監視カメラの画像異常検出装置で使用される初期設定の手順を示すフローチャート図である。
【図３】本発明の一実施形態に係わる監視カメラの画像異常検出装置の画像異常発生値閾値Ｆ０を説明するための正常時の画像異常発生値Ｆの測定データである。
【図４】本発明の一実施形態の監視カメラの画像異常検出装置の異常画像の発生を検出するための手順を示すフローチャート図である。
【図５】本発明による一実施形態の監視カメラの画像異常検出装置における現在の画像の画像異常発生値Ｆの測定データである。
【図６】本発明による一実施形態の監視カメラの画像異常検出装置において使用される画像の各画像統計値と画像異常の原因を関連づけたテーブルを示す図である。
【図７】本発明による他の実施形態の監視カメラの画像異常検出装置の概略構成を示すブロック図である。
【符号の説明】
【００７８】
１    監視カメラ
２    画像異常検出装置
２１  画像取込み手段
２２ａ〜２２ｎ  画像統計値算出手段
２３ａ〜２３ｎ  正常時画像統計値記録手段
２４ａ〜２４ｎ  画像異常検出優先度記録手段
２５  画像異常検出手段
２５ａ  画像異常発生値算出手段  
２５ｂ  画像異常原因推定手段
２６  画像増異常検出優先度通信手段
３    表示手段
４    通信回線
５    画像異常検出優先度設定端末
【図１】
2006352644.tif 000003
【図２】
2006352644.tif 000004
【図３】
2006352644.tif 000005
【図４】
2006352644.tif 000006
【図５】
2006352644.tif 000007
【図６】
2006352644.tif 000008
【図７】
2006352644.tif 000009